(57)【特許請求の範囲】
【請求項１】
雌ねじ孔が形成されているボルト取付壁と、
前記雌ねじ孔に螺合されて前記ボルト取付壁に装着されている調節ボルトと、
前記調節ボルトに螺合されているロックナットと、
前記調節ボルト及び前記ロックナットを囲繞する筒状部を有して前記ロックナットに嵌装されているカバーと、
前記カバーを前記ロックナットに対して抜止め状態とする抜止め部と、
を備えている調節ボルト付き機器であって、
前記カバーの開口側に前記筒状部より径及び肉厚の大きい補強部を形成し、前記補強部には平坦面でなる当接部が設けられ、
前記ボルト取付壁又は前記ボルト取付壁に取付けられている機器側の部材に設けられている被当接部と前記当接部とが、前記調節ボルトの軸心回り方向で当接する構成とされることにより、
前記カバーが前記軸心回りに回転することを規制する回転規制機構が設けられている調節ボルト付き機器。
【請求項２】
前記当接部は、前記カバーの前記軸心方向視での外郭形状がＤ形となるように、前記カバーの外周部を部分的に欠如させた平坦面により構成されている請求項１に記載の調節ボルト付き機器。
【請求項３】
前記被当接部は、前記平坦面に近接対向配備される状態に前記機器側の部材に形成された機器側平坦面である請求項２に記載の調節ボルト付き機器。
【請求項４】
前記当接部は、前記カバーのボルト取付壁側の開口端を前記軸心に関する所定角度分が延設されてなる円弧状突設部であり、前記被当接部は、前記円弧状突設部と前記軸心回りで干渉するように前記ボルト取付壁に形成されている盛上り部である請求項１に記載の調節ボルト付き機器。
【請求項５】
近接配備される一対の雌ねじ孔が形成されているボルト取付壁と、
各前記雌ねじ孔に螺合されて前記ボルト取付壁に装着されている一対の調節ボルトと、
各前記調節ボルトに螺合されているロックナットと、
前記調節ボルト及び前記ロックナットを囲繞する筒状部を有して各前記ロックナットに嵌装されている一対のカバーと、
前記カバーを前記ロックナットに対して抜止め状態とする抜止め部の一対と、
を備えている調節ボルト付き機器であって、
一対の前記カバーそれぞれに形成されている当接部どうしの当接により、各前記カバーのそれぞれが対応する前記調節ボルトの軸心回りに回転することを規制する回転規制機構が設けられている調節ボルト付き機器。
【請求項６】
前記カバーは、前記ロックナットに抜止め状態に外嵌されているフランジ部と、前記フランジ部のボス部に圧入外嵌されている開口部及び前記筒状部を備えるカバー本体とからなり、
前記フランジ部の前記軸心方向視での外郭形状がＤ形となるように前記フランジ部に平坦面が形成され、各平坦面が対向配備される状態に配置して前記回転規制機構が構成されている請求項５に記載の調節ボルト付き機器。
【発明の詳細な説明】
【技術分野】
【０００１】
本発明は、調節ボルト付き機器に係り、詳しくは、調節ボルトの調節位置の改竄を防止するカバーの抜き取りを抑制させるための調節ボルト付き機器に関するものである。
【背景技術】
【０００２】
従来、メネジ孔が形成されたボルト取付壁と、メネジ孔にネジ嵌合され、ボルト取付壁に取り付けられた調節ボルトと、調節ボルトにネジ嵌合されたロックナットと、ロックナットに回転可能に外嵌されたカバーと、カバーを抜け止めする抜け止め部を備えた、調節ボルト付き機器がある(例えば、特許文献１参照)。
【０００３】
この種の機器では、調節ボルトでエンジンの最大出力時の燃料噴射量等を調節した後は、ロックナットをカバーで覆い、調節ボルトの調節位置の改竄を防止することができる利点がある。
【０００４】
特許文献１の発明では、カバーの抜け止め部は、カバーの周壁の開口端部で構成されるカシメ部と、カシメ部を係止するロックナットの係止部を備え、カバーの周壁には、カシメ部の変形を容易にする変形用スリットが設けられている。
【先行技術文献】
【特許文献】
【０００５】
【特許文献１】特開平７−７１３４５号公報(特に、図１〜図５参照)
【発明の概要】
【発明が解決しようとする課題】
【０００６】
特許文献１の発明は、その「発明の背景、「発明が解決しようとする課題」、及び従来図である図１１〜１３に記載されたように、アルミ合金製で中間部がカシメによりナットに套嵌固定されたカバーや、ワイヤーを用いて封印された防護キャップでは、調節ボルトの調節位置改竄の防止に不完全さがあり、それを改善したものである。即ち、鋼材製のカバーの下端部に変形用スリットを入れ、下端部をカシメて抜止めさせる手段である。
【０００７】
しかしながら、下端カシメ、中間カシメ、封印キャップ方式、或いは圧入などの構成により取外し不能なカバーを設ける手段では、調節ボルトが曲がるほどの強い横方向の力がカバーに加えられた場合には、調節ボルトと一体となっている若干傾いたカバーを、その傾きを利用しての偏心回し操作が可能になることがありえる。
【０００８】
そうなると、カバーを介して曲がった調節ボルトが緩められたり外されたりされるおそれがある。つまり、カバーが回し操作可能な構成である点に起因して、調節ボルトの調節位置の改竄防止が不完全となる場合のあることが分かってきたのである。
【０００９】
このような実状に鑑みて、本発明の目的は、調節ボルトの調節位置の改竄を防止するためのカバーの回し操作ができないようにして、調節ボルトが曲がるほどの外力が加えられた場合でも、カバーを介しての調節ボルトの回し操作を規制することができる調節ボルト付き機器を提供する点にある。
【課題を解決するための手段】
【００１０】
請求項１に係る発明は、雌ねじ孔１が形成されているボルト取付壁２と、
前記雌ねじ孔１に螺合されて前記ボルト取付壁２に装着されている調節ボルト３と、
前記調節ボルト３に螺合されているロックナット４と、
前記調節ボルト３及び前記ロックナット４を囲繞する筒状部５Ａを有して前記ロックナット４に嵌装されているカバー５と、
前記カバー５を前記ロックナット４に対して抜止め状態とする抜止め部６と、
を備えている調節ボルト付き機器において、
前記カバー５の開口側に前記筒状部５Ａより径及び肉厚の大きい補強部２２を形成し、前記補強部２２には平坦面でなる当接部２２Ａが設けられ、
前記ボルト取付壁２又は前記ボルト取付壁２に取付けられている機器側の部材３７に設けられている被当接部３７ａと前記当接部２２Ａとが、前記調節ボルト３の軸心Ｐ回り方向で当接する構成とされることにより、
前記カバー５が、前記軸心Ｐ回りに回転することを規制する回転規制機構Ａが設けられていることを特徴とする。
【００１１】
請求項２に係る発明は、請求項１に記載の調節ボルト付き機器において、
前記当接部２２Ａは、前記カバー５の前記軸心Ｐ方向視での外郭形状がＤ形となるように、前記カバー５の外周部を部分的に欠如させた平坦面により構成されていることを特徴とする。
【００１２】
請求項３に係る発明は、請求項２に記載の調節ボルト付き機器において、
前記被当接部３７ａは、前記平坦面２２Ａに近接対向配備される状態に前記機器側の部材３７に形成された機器側平坦面であることを特徴とする。
【００１３】
請求項４に係る発明は、請求項１に記載の調節ボルト付き機器において、
前記当接部２２Ａは、前記カバー５のボルト取付壁側の開口端を前記軸心Ｐに関する所定角度分が延設されてなる円弧状突設部であり、前記被当接部３７ａは、前記円弧状突設部２２Ａと前記軸心Ｐ回りで干渉するように前記ボルト取付壁２に形成されている盛上り部であることを特徴とする。
【００１４】
請求項５に係る発明は、近接配備される一対の雌ねじ孔１，１が形成されているボルト取付壁２と、
各前記雌ねじ孔１，１に螺合されて前記ボルト取付壁２に装着されている一対の調節ボルト３，３と、
各前記調節ボルト３，３に螺合されているロックナット４，４と、
前記調節ボルト３及び前記ロックナット４を囲繞する筒状部５Ａを有して各前記ロックナット４，４に嵌装されている一対のカバー５，５と、
前記カバー５を前記ロックナット４に対して抜止め状態とする抜止め部６の一対と、
を備えている調節ボルト付き機器において、
一対の前記カバー５，５それぞれに形成されている当接部２２Ａどうしの当接により、各前記カバー５，５のそれぞれが、対応する前記調節ボルト３の軸心Ｐ回りに回転することを規制する回転規制機構Ａが設けられていることを特徴とする。
【００１５】
請求項６に係る発明は、請求項５に記載の調節ボルト付き機器において、
前記カバー５，５は、前記ロックナット４に抜止め状態に外嵌されているフランジ部５Ｆと、前記フランジ部のボス部に圧入外嵌されている開口部４６及び前記筒状部５Ａを備えるカバー本体５Ｈとからなり、
前記フランジ部５Ｆの前記軸心Ｐ方向視での外郭形状がＤ形となるように前記フランジ部５Ｆに平坦面２２Ａが形成され、各平坦面２２Ａ，２２Ａが対向配備される状態に配置して前記回転規制機構Ａが構成されていることを特徴とするものである。
【発明の効果】
【００１６】
請求項１の発明によれば、カバーの回し操作に起因して、出荷後の調節ボルトの再調節が防止される効果が得られる。
即ち、ボルト取付壁から離れる向きにロックナットから抜き取られようとするカバーは、抜止め部の存在により、その抜取りが牽制阻止されている。つまり、調節ボルトはカバーに覆われて封印されており、従って、カバーが装着された後は、調節ボルトの回し操作が不能とされている。
【００１７】
ところで、一般的に、ナットなどの雌ねじ部に螺着されているボルトに横方向の力が掛かり、ボルトの雌ねじ部から出ている部分が曲がってしまった場合、その曲がっている部分のボルトは本来のボルト軸心に対して偏心しており、その偏心を利用した無理回し操作、即ち、偏心回し操作により、緩めたり増し締めしたりすることが可能なことがある。
従って、機器のボルト取付壁に螺着されていてカバーに覆われている調節ボルトに、横方向の強い力が加わって曲がり変形された場合には、カバーを介しての前述した偏心回し操作により、調節ボルトの緊緩の回し操作が可能となるおそれが考えられる。
【００１８】
しかしながら、カバーが、調節ボルトの軸心回りに回転することを規制する回転規制機構が設けられているので、上述の如く、横方向の強い力によって調節ボルト曲がり変形された場合でも、その曲がりによるカバーを介しての偏心回し操作が行えないように規制される。
その結果、調節ボルトの調節位置の改竄を防止するためのカバーの回し操作ができないようにして、外力によって調節ボルトが曲がった場合でも、カバーを介しての調節ボルトの回し操作は規制され、より改善された調節ボルト付き機器を提供することができる。
【００１９】
請求項１の発明によれば、ボルト取付壁又はそれに固定されている機器側の部材の被当接部がボルト軸心回り方向で当接するから、カバーが左右いずれにも回らない、或いは少ししか回せない回動規制が行える回転規制機構が構成されている。従って、この段落までに述べてきた効果が強化される利点がある。
【００２０】
なお、回転規制機構としては、請求項２の発明のように、カバーの外郭形状をＤ形としてその平坦面で当接部を構成させる手段や、請求項３の発明のように、機器側の部材に形成された機器側平坦面で当接部に当接する被当接部とする手段がある。また、請求項４の発明のように、カバーの開口端側に設けた円弧状突設部により当接部とし、かつ、ボルト取付壁に形成された盛上り部により被当接部とする手段を採ることもできる。
【００２１】
請求項５の発明によれば、調節ボルトの一対が互いに近接されて配置されている場合には、一対のカバーそれぞれの当接部どうしを当接させる構造を採ることが可能であって、それにより、構造簡単で廉価に回転規制機構を設けることができる利点がある。
【００２２】
この場合、請求項６の発明のように、カバーが、ロックナットに抜止め外嵌されたフランジ部と、フランジ部に圧入外嵌されたカバー本体とからなる構成の場合には、フランジ部をＤ形として、フランジ部どうしの当接により、構造簡単で廉価に回転規制機構を設けることができる。
【図面の簡単な説明】
【００２３】
【図１】燃料噴射量の調節ボルトの構造を示す一部切欠きの正面図
【図２】カバーの回止め構造を示す要部の平面図
【図３】図１の調節ボルトを備えるディーゼルエンジンの要部の縦断断面図
【図４】（ａ）自由状態での袋ナットの装着溝と止め輪との位置関係を示す要部断面図、（ｂ）カバー下降操作開始時における止め輪の縮径変形を示す要部断面図
【図５】（ａ）カバー下降による止め輪のカバー内周溝への拡径変形を示す要部断面図、（ｂ）カバー持上げによる止め輪の連れ上り状況を示す要部断面図
【図６】（ａ）カバー持上げによる止め輪の規制溝への移行及びロック状態を示す要部断面図、（ｂ）縮径変形した止め輪によるロック状態を示す要部断面図
【図７】（ａ）止め輪の平面図、（ｂ）止め輪の正面図
【図８】実施形態２のカバーの回止め構造を示し、（ａ）は回動規制機構の構造を表すボルト取付壁の平面図、（ｂ）は（ａ）のＸ−Ｘ断面線での一部切欠き側面図
【図９】実施形態３のカバーの回り止め構造を示し、（ａ）は調節阻止機構部分の一部切欠きの側面図、（ｂ）は一対のカバーを示す正面図
【図１０】実施形態４のカバーの回り止め構造を示し、（ａ）は調節阻止機構部分の一部切欠きの側面図、（ｂ）は一対のカバーを示す正面図
【発明を実施するための形態】
【００２４】
以下に、本発明による調節ボルト付き機器の実施の形態を、その一例として、立形で直列複数気筒の燃料調節ボルト付きディーゼルエンジンについて、図面を参照しながら説明する。
【００２５】
図３に示されるように、実施形態１によるディーゼルエンジンは、燃料噴射装置３０を備えている。燃料噴射装置３０は、ポンプ収容ケース３１と、燃料噴射ポンプ３２と、メカニカルガバナ２９とを備えている。
ポンプ収容ケース３１は、クランクケース（図示省略）の幅方向を横方向として、クランクケースの横側にクランクケースと一体鋳造で形成され、上壁３３にポンプ差込み口３４を備え、ポンプ差込み口３４の開口周縁部にポンプ取付け座３５が設けられている。
【００２６】
燃料噴射ポンプ３２はボッシュ型のプランジャ式列形ポンプで、ポンプ収容ケース３１内にはポンプ差込み口３４から燃料噴射ポンプ３２のプランジャ部３６が差し込まれ、燃料噴射ポンプ３２のフランジ部３７が六角穴付ボルトなどによってポンプ取付け座３５に取り付けられ、プランジャ部３６がポンプ収容ケース３１内に収容されている。
【００２７】
図３に示されるように、メカニカルガバナ２９は、ポンプ収容ケース３１内に収容され、燃料噴射ポンプ３２を調量制御し、負荷変動に拘わらず、エンジン回転数を調速レバー２８で設定された目標回転数に維持する。メカニカルガバナ２９は、ガバナスプリング（図示省略）のバネ力とフライウェイト（図示省略）のガバナ力との不釣合い力で揺動するガバナレバー３８を備え、ガバナレバー３８の揺動を介して燃料噴射ポンプ３２の燃料調量ラック３９が調量される。
【００２８】
図３に示されるように、ポンプ収容ケース３１の上壁３３には、燃料調節装置４０が設けられている。この燃料調節装置４０は、エンジンの定格回転数での最大燃料噴射量が調節され、エンジンの最大出力が調節される。
図１に示されるように、燃料調節装置４０は、ボルト先端部３ａと基端部の回し調節溝３ｂとを有してボルト取付壁２（ポンプ取付け座３５）に螺着されている軸ボルト状の調節ボルト３と、ロックナット４とを備えて構成されている。つまり、工具係合部である回し調節溝３ｂを用いてマイナスドライバーなどで調節ボルト３を回して調節し、その後にロックナット４を操作して調節ボルト３を位置決め固定させることができる。なお、１２は平ワッシャである。
【００２９】
燃料調節装置４０の要の部品である調節ボルト３は、雌ねじ孔１に螺合されてボルト取付壁２に貫通装着されており、そのボルト先端部３ａはポンプ収容ケース３１内に突出している。ボルト先端部３ａは、ガバナレバー３８の燃料増量揺動側に位置されており、ガバナレバー３８を受け止めて、ガバナレバー３８の燃料増量側の揺動位置を決めている。従って、調節ボルト３の締め込み量の調節により、最大燃料噴射量が調節可能に構成されている。
【００３０】
図１、図３に示されるように、調節ボルト３の回し操作を不可として、燃料調節装置４０の調節機能が行えないように阻止する調節阻止機構Ｓが装備されている。
調節阻止機構Ｓの機能は、図１に示されるように、調節ボルト３でエンジンの最大出力の燃料噴射量を調節した後は、ロックナット４をカバー５で覆って封印し、調節ボルト３の調節位置の改竄を防止する、というものである。カバー５は、一旦ロックナット４に装着すると、破壊させない限り抜き出すことができないように構成されている。次に、その調節阻止機構Ｓについて詳述する。
【００３１】
調節阻止機構Ｓは、図１，図３に示されるように、雌ねじ孔１が形成されているボルト取付壁２と、調節ボルト３と、調節ボルト３に螺合されているロックナット４と、調節ボルト３及びロックナット４に囲繞する筒状部５Ａを有してロックナット４に嵌装されているカバー５と、カバー５をロックナット４に対して抜止め状態とする抜止め部６と、を備えて構成されている。
ロックナット４は、平ワッシャ１２を介してボルト取付壁２に接する第１ロックナット４Ａと、平ワッシャ１３を介して第１ロックナット４Ａに接する第２ロックナット４Ｂと、を有するダブルナット構造に構成されている。第２ロックナット４Ｂは、円柱状の胴部１４、ナット部１５、及び半円球面状の袋部１６を有する袋ナットで構成されている。
【００３２】
抜止め部６は、Ｃ形の止め輪１０と、止め輪１０を抜止め状態で内装可能にカバー５に形成されている装着内周部１１と、止め輪１０を外装可能に第２ロックナット４Ｂの胴部１４に形成されている外周溝７とを有して構成されている。ここで、装着内周部１１の一例として、内周溝１１が採用されている。
外周溝７は、内周溝１１に内嵌装着、即ち内装されている止め輪１０の縮径による内周溝１１からの外れを規制する溝底８ａを備えた第１溝部８と、内周溝１１に内装されている止め輪１０の内周溝１１からの縮径による外れを許容する溝底９ａを備えて第１溝部８のボルト取付壁側に連続形成されている第２溝部９とを有して構成されている。
【００３３】
図４（ｂ）に示されるように、カバー５において止め輪１０を強制縮径させて通過させる最も小さい径を持つ主内周面１９、詳しくは、テーパ内周面２０と内周溝１１との間の短い主内周面（通過制限内周面）１９の径（直径）をＤ、止め輪１０の径方向幅をｗ、第１溝部８の溝底８ａの径（直径）をｄ１、第２溝部９の溝底９ａの径（直径）をｄ２と定義する。この場合、次の式（１）と（２）が成り立つように構成されている。
（１）…ｄ１＞Ｄ−２ｗ
（２）…ｄ２＜Ｄ−２ｗ
【００３４】
つまり、式（１）は、「装着内周部１１に内装されている前記止め輪１０の縮径による前記装着内周部１１からの外れを規制する溝底８ａ」を表す構成であり、式（２）は、「装着内周部１１に内装されている前記止め輪１０の前記装着内周部１１からの縮径による外れを許容する溝底９ａ」を表す構成である。但し、内周溝１１の径（直径）をΦとすると、図６（ａ）に示す状態を可能とするために、
（３）…ｄ１＜Φ−２ｗ
となるように、即ち、第１溝部８の溝底８ａに関しては、「Φ−２ｗ＞ｄ１＞Ｄ−２ｗ」が成り立つように構成されている。
【００３５】
なお、上記式（３）は、内周溝１１に嵌っているときの止め輪１０の外径が内周溝１１の径Φに一致している場合、即ち、内周溝１１の径Φが止め輪１０の自由状態の外径と同じ又は小さい場合に成り立つ。内周溝１１の径Φが止め輪１０の自由状態の外径より少し大きい場合に、上記式（３）を成り立たせるには、内周溝１１の径に代えて止め輪１０の自由状態の外径をΦとすれば良い。
【００３６】
カバー５は、図１〜図３に示されるように、円筒断面を有する筒状部５Ａと、中心に円形の孔１７を備える蓋部５Ｂとを有して構成され、筒状部５Ａの開口側は径の大きい補強部２２に形成されている。
筒状部５Ａの内周部は、最も径が大きく均一径を備えてボルト取付壁側（先端側）に形成されている開口内周面１８と、開口内周面１８よりも小径で反ボルト取付壁側（基端側）に形成されている主内周面１９と、ボルト軸方向２１で径を徐変させて開口内周面１８と主内周面１９とを繋ぐテーパー内周面２０とにより構成されている。
つまり、カバー５の内周部には、自由状態の止め輪１０の外径よりも大径の開口部１８ａを備えて奥窄まりとなるテーパー内周面２０が、内周溝１１のボルト取付壁側に形成されている。主内周面１９におけるテーパー内周面２０との境目付近に形成されている。
【００３７】
また、カバー５の補強部２２には、図２に示されるように、断面形状がＤ形状となるように、一部が削られたような面である平坦面２２Ａが形成されている。その平坦面２２Ａは、ロックナット４への装着状態において、燃料噴射ポンプ３２のフランジ部３７の平坦な側面３７ａに隙間少なく近接配置される状態に、その寸法や形状が設定されている。
従って、ロックナット４に装着された状態では、平坦面２２Ａと側面３７ａとの近接対向配備構成により、カバー５の回動操作ができない回動規制機構（回転規制機構の一例）Ａが構成されている。
【００３８】
つまり、調節ボルト３の軸心Ｐ回りにカバー５が回転することを規制する回動規制機構Ａは、カバー５に設けられている平坦面（当接部の一例）２２Ａと、ボルト取付壁２に取付けられている機器側の部材であるフランジ部３７に設けられている機器側平坦面である側面（被当接部の一例）３７ａとが、カバー５の軸心Ｐ回り方向で当接する配置設定により構成されている。当接部２２Ａは、カバー５の軸心Ｐ方向視での外郭形状がＤ形となるように、カバー５の外周部を部分的に欠如させた平坦面により構成されている。
【００３９】
止め輪１０は、図７（ａ）に示されるように、径方向幅ａが一定のサークリップ、即ちＣ形の止め輪１０に構成されている。そして、図７（ｂ）に示されるように、止め輪１０は、その厚み方向に捻られた螺旋状のものに形成されている。例えば、コイルバネを作る要領により、その螺旋状の止め輪１０が製作されている。この螺旋形状により、内周溝１１や外周溝７に嵌っている状態では、それら内周溝１１や外周溝７とボルト軸方向２１で常時押圧付勢されて当接する状態をもたらすことが可能であり、振動によるビビリ音などの騒音防止に役立つ利点がある。
【００４０】
次に、調節阻止機構Ｓにおけるカバー５のロックナット４への装着手順と作用について説明する。まず、図７に示す止め輪１０を、調節ボルト３に螺着固定されている第２ロックナット４Ｂの外周溝７、詳しくは第２溝部９に嵌め入れる。
次いで、図４（ａ）に示されるように、カバー５を補強部２２が下となる姿勢で、調節ボルト３の上方から被せるように下降させる。このとき、開口内周面１８は自由状態の止め輪１０の外径より大きいので、止め輪１０は、外周溝７の下方側周面２３に載っている状態が維持されている。
【００４１】
カバー５の下降を続けると、図４（ｂ）に示されるように、テーパー内周面２０が止め輪１０に外接し、そのテーパー内周面２０のボルト軸方向２１に対する緩い傾斜角度によって径内側方向への強い力が生じ、止め輪１０は下方側周面２３に接した状態のまま強制的に縮径変形される。
なおも、カバー５の下降により、図５（ａ）に示されるように、相対的に止め輪１０は主内周面１９の端部を乗越えて内周溝１１に位置した途端、弾性復元力によって瞬間的に拡径変形して内周溝１１に嵌り込み、内嵌装着される。そして、カバー５は、内周溝１１の反ボルト取付壁側（上側）となる上側周面２４が、止め輪１０の上面１０ａに当接する位置まで下降して止まり、それが図１に示す装着状態である。止め輪１０の拡径弾性力が強い場合は、下端位置までカバー５が降りないこともありうる。
【００４２】
さて、図１などに示すように、第２ロックナット４Ｂに組付けた装着状態のカバー５を外そうとして、上方に引っ張った場合について説明する。
図５（ａ）に仮想線又は実線で示される装着状態にあるカバー５を引っ張り上げると、図５（ｂ）に示されるように、内周溝１１のボルト取付壁側（下側）となる下側周面２５が、外周溝７の下方側周面２３に載っている止め輪１０に当接して連れ上り移動させる。
【００４３】
なおもカバー５を引き上げると、図６（ａ）に示されるように、連れ上り移動する止め輪１０の上面１０ａが外周溝７の上方側周面２６に当接し、それ以上のカバー５の引き上げがストップされる。このとき、図６（ｂ）に示されるように、止め輪１０が撓んで捩れるとか、加工寸法誤差（例：角の面取りが大きい）などにより止め輪１０が縮径したとしても、連れ上がった止め輪１０は第１溝部８に位置していてその溝底８ａにより縮径変形が殆どできないように規制されている。
【００４４】
従って、第１溝部８において止め輪１０が縮径しても、内周溝１１の下側周面２５は止め輪１０の下面１０ｂに依然として当接しており、やはりカバー５の引き上げ移動はできないように牽制阻止されている。つまり、外周溝７は、内周溝１１に内装されている止め輪１０の縮径による内周溝１１からの外れを規制する溝底８ａを備えた第１溝部８と、内周溝１１に内装されている止め輪１０の内周溝１１からの縮径による外れを許容する溝底９ａを備えて第１溝部８のボルト取付壁側に連続形成されている第２溝部９とを有して構成されている。
【００４５】
以上述べたとおり、止め輪１０を有するロックナット４が螺装された調節ボルト３に、カバー５を、その内周溝１１に止め輪１０が内装されるまで下降移動させて組付けると、その後は、カバー５を引き上げて取り外すことは不可能となる調節阻止機構Ｓが構成されている。故に、カバー５のロックナット４への（調節ボルト３への）装着により、調節ボルト３の回し操作ができないように、調節阻止機構Ｓにより調節ロックされる。
【００４６】
カバー５を無理やり外すには、止め輪１０をせん断破壊させる必要があり、例えば、カバーをロックナットなどに圧入させる手段や、或いはカバーの下端を部分的に径内側に切り折り曲げてロックナットに引っ掛ける手段に比べて、カバー５の引き上げ耐力が格段に向上（例：耐荷重が１〜２トン）する利点がある。
【００４７】
〔実施形態２〕
実施形態２による調節ボルト付き機器は、図８に示されるように、実施形態１におけるボルト取付壁２とカバー５、及び回動規制機構Ａが異なったものである。その他の構成、及び調節阻止機構Ｓについては、図１，図４〜図７に示される実施形態１によるものと同じである。
【００４８】
即ち、カバー５は均一径の外周を持つものであって補強部２２が無く、その代わりに、その開口端にスカート部である円弧状突設部２２Ａが一体形成されている。また、ボルト取付壁２は、調節ボルト３の取付座２ａと、取付座２ａよりも高さの高い本体壁部２ｂと、取付座２ａよりも高さの低い段差壁部２ｃと、一対の盛上り部（被当接部の一例）３７ａ，３７ａとを有して構成されている。図８において、盛上り部３７ａは、取付座２ａの高さよりも若干低い高さのものとして描かれているが、取付座２ａと同じ高さ、或いは若干高い高さとすることは可能である。実施形態２の回動規制機構Ａは、円弧状突設部２２Ａと一対の盛上り部３７ａ，３７ａとにより構成されている。
【００４９】
つまり、当接部２２Ａは、カバー５のボルト取付壁側の開口端を軸心Ｐに関する所定角度分が延設されてなる円弧状突設部２２Ａであり、被当接部３７ａは、円弧状突設部２２Ａと軸心Ｐ回りで干渉するようにボルト取付壁２に形成された左右の盛上り部３７ａである。このような構成であるから、第２ロックナット４Ｂに止め輪１０を介して抜止め状態で嵌装されているカバー５を、ボルト軸心Ｐ回りに回すと、図８（ｂ）に示されるように、軸心Ｐ回りに左右いずれの方向でも若干角度回動するに伴って、円弧状突設部２２Ａの周方向端面２２ａが左右何れかの盛上り部３７ａに当接し、それ以上の回動が規制されるように回動規制機構Ａが機能する。
【００５０】
従って、横方向からの力により、調節ボルト３が若干曲がってしまうようなことが生じても、前述の回動規制機構Ａにより、カバー５は若干の回動移動しかできず実質的に回し操作できないから、カバー５を介しての調節ボルト３の偏心回し操作が行えず、緩められたり外されてしまうことが防止される。
【００５１】
〔実施形態３〕
実施形態３による調節ボルト付き機器は、図９に示されるように、並んで近接配備される一対の調節ボルト３，３を有する場合の回動規制機構Ａである。互いに全く同構造で一対の調節ボルト３，３が近接配備される機器としては、例えば、特開２０１０−０９６１７２号公報において公知であり、以下、回動規制機構Ａなどの要点のみ説明する。
【００５２】
図９（ａ）に示されるように、互いに同構造の各調節ボルト３及び互いに同構造の調節阻止機構Ｓの構成自体については、図１，図４〜図７に示される実施形態１によるものと基本的に同じであり、カバー５と回動規制機構Ａとが異なる。
つまり、一対のカバー５，５それぞれに形成されている当接部２２Ａどうしの当接により、各カバー５，５のそれぞれが、対応する調節ボルト３の軸心Ｐ回りに回動（回転も含む）することを規制する回転規制機構Ａが設けられている。
【００５３】
具体的には、各カバー５は、その内周部の構成は実施形態１によるカバー５と基本的に同じ（詳細説明は省略する）であるが、外郭形状については軸心Ｐ方向に均一なＤ形のものとされている。そして、図９（ｂ）に示されるように、カバー５，５の平坦面でなる当接部２２Ａどうしが近接対向配備される状態に、各カバー５を対応するロックナット４に嵌装させることにより、各カバー５の軸心Ｐの回動を不可とする回動規制機構Ａが構成されている。
【００５４】
〔実施形態４〕
実施形態４による調節ボルト付き機器は、図１０に示されるように、並んで近接配備される一対の調節ボルト３，３を有する場合の回動規制機構Ａである。互いに同構造で一対の調節ボルト３，３は、例えば、出力制限用とトルク制限用とであり、機器から横向き状態で突設されている以外は、基本的に図９に示される一対の調節ボルト３，３と同じであり、調節阻止機構Ｓと回動規制機構Ａとが異なる。
【００５５】
実施形態４による調節阻止機構Ｓを簡単に説明する。調節阻止機構Ｓは、図１０に示されるように、第１ロックナット４Ａと第２ロックナット４Ｂとでなるロックナット４と、二枚の平ワッシャ１２，１３と、有蓋筒状のカバー５とを備えて構成されている。
第１ロックナット４Ａは、円筒部４１と六角ナット部４２とからなり、平ワッシャ１２を介してボルト取付壁２に対して調節ボルト３に螺装されている。第２ロックナット４Ｂは、外周溝４３ａが形成されている六角ナット部４３と、略半球壁状の袋部４４とを有する袋ナットで構成されており、平ワッシャ１３を介して第１ロックナット４Ａとダブルナット構造を呈するように調節ボルト３に螺装されている。
【００５６】
図１０（ａ），（ｂ）に示されるように、カバー５は、第１ロックナット４Ａの円筒部４１に外嵌されているフランジ部５Ｆと、フランジ部５Ｆのボス部４５に圧入されているカバー本体５Ｈとからなる。つまり、円筒部４１にフランジ部５Ｆが外嵌されている第１ロックナット４Ａ及び第２ロックナット４Ｂを調節ボルト３に螺装した状態において、ロックナット４に被せるようにカバー本体５Ｈを差し入れ、その開口部４６をボス部４５に圧入してフランジ部５Ｆと一体化させることにより、カバー５の組付け及び調節阻止機構Ｓが構成される。
カバー本体５Ｈとフランジ部５Ｆとは極めて強力に圧入されているので、カバー本体５Ｈを無理に引き抜こうとしても、まず抜き取ることができようになっている。
【００５７】
次に、回動規制機構Ａであるが、その原理は図９に示される実施形態３のものと同じであり、Ｄ断面による相互回り止め構造である。即ち、図１０（ａ），（ｂ）に示されるように、カバー５，５は、ロックナット４に抜止め状態に外嵌されているフランジ部５Ｆと、フランジ部５Ｆのボス部４５に圧入外嵌されている開口部４６及び筒状部５Ａを備えるカバー本体５Ｈとからなり、フランジ部５Ｆの軸心Ｐ方向視での外郭形状がＤ形となるようにフランジ部５Ｆに平坦面２２Ａが形成され、各平坦面２２Ａ，２２Ａが対向配備される状態に配置して回転規制機構Ａが構成されている。
【００５８】
回動規制機構Ａとしては、図示は省略するが、例えばカバー５に、ボルト取付壁２の凸部に干渉するように、径外方に向けた突片を設けて、凸部と突片とが軸心回り方向でぶつかるまでの角度（例：３００度）しかカバー５を回せない構成のものでも良い。
要は、カバー５を連続回転することで曲がった調節ボルト３の回し操作が可能となるから、１回転未満しか回せないようにすれば、事実上、カバーを介しての調節ボルトの回し操作はできない。つまり、カバー５の回転操作を規制する回転規制機構Ａで良いが、より狭い角度範囲しか操作できない回動規制機構Ａなら、なお良い。
【００５９】
〔別実施例〕
カバー５を外郭形状を四角形や六角形など、平坦面を設けて回り止めさせる構成、即ち、回転規制機構Ａは種々の変更が可能である。また、軸心Ｐの周方向で互いに係合する凹部と凸部とを、ボルト取付壁とカバーとに振り分け配置して回転規制機構Ａとする手段も可能である。
【符号の説明】
【００６０】
１          雌ねじ孔
２          ボルト取付壁
３          調節ボルト
４          ロックナット
５          カバー
５Ａ        筒状部
５Ｆ        フランジ部
５Ｈ        カバー本体
６          抜止め部
２２        補強部
２２Ａ      当接部、平坦面、円弧状突設部
３７        機器側の部材
３７ａ      被当接部、機器側平坦面、盛上り部
４６        開口部
Ａ          回転規制機構
Ｐ          軸心
【図１】
0006605402.tif 000002
【図２】
0006605402.tif 000003
【図３】
0006605402.tif 000004
【図４】
0006605402.tif 000005
【図５】
0006605402.tif 000006
【図６】
0006605402.tif 000007
【図７】
0006605402.tif 000008
【図８】
0006605402.tif 000009
【図９】
0006605402.tif 000010
【図１０】
0006605402.tif 000011